【手続補正書】
【提出日】平成17年3月9日(2005.3.9)
【手続補正１】
【補正対象書類名】明細書
【補正対象項目名】発明の名称
【補正方法】変更
【補正の内容】
【発明の名称】データ通信システム、データ通信装置、及びデータ通信方法
【手続補正２】
【補正対象書類名】明細書
【補正対象項目名】特許請求の範囲
【補正方法】変更
【補正の内容】
【特許請求の範囲】
【請求項１】
複数の機器により構成されたデータ通信システムであって、
前記複数の機器に含まれるＮ個の機器により構成される仮想的な通信関係を示す第１の情報と、該Ｎ個の機器間において通信される情報データを判別する第２の情報とを用いて前記情報データの通信を行うことを特徴とするデータ通信システム。
【請求項２】
複数の機器により構成されたデータ通信システムであって、
前記複数の機器に含まれるＮ個の機器により構成される仮想的な通信関係を示す情報と、該Ｎ個の機器間で通信される情報データを格納する仮想的なメモリ空間を指定する情報とを用いて前記情報データの通信を行うことを特徴とするデータ通信システム。
【請求項３】
複数の機器により構成されたデータ通信システムであって、
複数のＩＤ情報を用いて仮想的な通信環境を設定することを特徴とするデータ通信システム。
【請求項４】
複数の機器により構成されたデータ通信システムに接続可能なデータ通信装置であって、
前記複数の機器に含まれるＮ個の機器により構成される仮想的な通信関係を示す第１の情報と、該Ｎ個の機器間において通信される情報データを判別する第２の情報とを設定する設定手段と、
前記設定手段により設定された前記第１及び第２の情報を用いて前記情報データの通信を行う通信手段とを有することを特徴とするデータ通信装置。
【請求項５】
複数の機器により構成されたデータ通信システムに接続可能なデータ通信装置であって、
前記複数の機器に含まれるＮ個の機器により構成される仮想的な通信関係を示す第１の情報と、該Ｎ個の機器間において通信される情報データを判別する第２の情報とを含む前記情報データを受信する受信手段と、
前記第１及び第２の情報の情報を用いて前記受信手段により受信された情報データが自己に送信されたデータであるか否かを判別する判別手段とを有することを特徴とするデータ通信装置。
【請求項６】
複数の機器により構成されたデータ通信システムに接続可能なデータ通信装置であって、
前記複数の機器に含まれるＮ個の機器により構成される仮想的な通信関係を示す情報と、該Ｎ個の機器間で通信される情報データを格納する仮想的なメモリ空間を指定する情報とを設定する設定手段と、
前記設定手段により設定された前記第１及び第２の情報を用いて前記情報データの通信を行う通信手段とを有することを特徴とするデータ通信装置。
【請求項７】
複数の機器により構成されたデータ通信システムに接続可能なデータ通信装置であって、
前記複数の機器に含まれるＮ個の機器により構成される仮想的な通信関係を示す情報と、該Ｎ個の機器間で通信される情報データを格納する仮想的なメモリ空間を指定する情報とを含む情報データを受信する受信手段と、
前記第１及び第２の情報を用いて前記受信手段により受信された情報データが自己に送信されたデータであるか否かを判別する判別手段とを有することを特徴とするデータ通信装置。
【請求項８】
複数の機器により構成されたデータ通信システムに適用可能なデータ通信方法であって、
前記複数の機器に含まれるＮ個の機器により構成される仮想的な通信関係を示す第１の情報と、該Ｎ個の機器間において通信される情報データを判別する第２の情報とを用いて前記情報データの通信を行うことを特徴とするデータ通信方法。
【請求項９】
複数の機器により構成されたデータ通信システムに適用可能なデータ通信方法であって、
前記複数の機器に含まれるＮ個の機器により構成される仮想的な通信関係を示す情報と、該Ｎ個の機器間で通信される情報データを格納する仮想的なメモリ空間を指定する情報とを含む通信パケットを用いて前記情報データの通信を行うことを特徴とするデータ通信方法。
【請求項１０】
複数の機器により構成されたデータ通信システムに適用可能なデータ通信方法であって、
複数のＩＤ情報を用いて仮想的な通信環境を設定することを特徴とするデータ通信方法。
【請求項１１】
複数の機器により構成されたデータ通信システムに適用可能なデータ通信方法であって、
前記複数の機器に含まれるＮ個の機器により構成される仮想的な通信関係を示す第１の情報と、該Ｎ個の機器間において通信される情報データを判別する第２の情報とを用いて、前記情報データが自己に送信されたデータであるか否かを判別することを特徴とするデータ通信方法。
【請求項１２】
複数の機器により構成されたデータ通信システムに適用可能なデータ通信方法であって、
前記複数の機器に含まれるＮ個の機器により構成される仮想的な通信関係を示す情報と、該Ｎ個の機器間で通信される情報データを格納する仮想的なメモリ空間を指定する情報とを用いて、前記情報データが自己に送信されたデータであるか否かを判別することを特徴とするデータ通信方法。
【手続補正３】
【補正対象書類名】明細書
【補正対象項目名】０００１
【補正方法】変更
【補正の内容】
【０００１】
【発明の属する技術分野】
本発明は、データ通信システム、データ通信装置、及びデータ通信方法に関し、特に、制御信号とデータを混在させて通信することが可能なデータ通信バスを用いて複数の電子機器（以下、機器）間を接続して、各機器間でデータ通信を行うものに関する。
【手続補正４】
【補正対象書類名】明細書
【補正対象項目名】００２１
【補正方法】変更
【補正の内容】
【００２１】
本発明のデータ通信システムは、複数の機器により構成されたデータ通信システムであって、前記複数の機器に含まれるＮ個の機器により構成される仮想的な通信関係を示す第１の情報と、該Ｎ個の機器間において通信される情報データを判別する第２の情報とを用いて前記情報データの通信を行うことを特徴とする。
また、本発明のデータ通信システムは、複数の機器により構成されたデータ通信システムであって、前記複数の機器に含まれるＮ個の機器により構成される仮想的な通信関係を示す情報と、該Ｎ個の機器間で通信される情報データを格納する仮想的なメモリ空間を指定する情報とを用いて前記情報データの通信を行うことを特徴とする。
また、本発明のデータ通信システムは、複数の機器により構成されたデータ通信システムであって、複数のＩＤ情報を用いて仮想的な通信環境を設定することを特徴とする。
また、本発明のデータ通信装置は、複数の機器により構成されたデータ通信システムに接続可能なデータ通信装置であって、前記複数の機器に含まれるＮ個の機器により構成される仮想的な通信関係を示す第１の情報と、該Ｎ個の機器間において通信される情報データを判別する第２の情報とを設定する設定手段と、前記設定手段により設定された前記第１及び第２の情報を用いて前記情報データの通信を行う通信手段とを有することを特徴とする。
【手続補正５】
【補正対象書類名】明細書
【補正対象項目名】００２２
【補正方法】変更
【補正の内容】
【００２２】
本発明のデータ通信装置は、複数の機器により構成されたデータ通信システムに接続可能なデータ通信装置であって、前記複数の機器に含まれるＮ個の機器により構成される仮想的な通信関係を示す第１の情報と、該Ｎ個の機器間において通信される情報データを判別する第２の情報とを含む前記情報データを受信する受信手段と、前記第１及び第２の情報の情報を用いて前記受信手段により受信された情報データが自己に送信されたデータであるか否かを判別する判別手段とを有することを特徴とする。
また、本発明のデータ通信装置は、複数の機器により構成されたデータ通信システムに接続可能なデータ通信装置であって、前記複数の機器に含まれるＮ個の機器により構成される仮想的な通信関係を示す情報と、該Ｎ個の機器間で通信される情報データを格納する仮想的なメモリ空間を指定する情報とを設定する設定手段と、前記設定手段により設定された前記第１及び第２の情報を用いて前記情報データの通信を行う通信手段とを有することを特徴とする。
また、本発明のデータ通信装置は、複数の機器により構成されたデータ通信システムに接続可能なデータ通信装置であって、前記複数の機器に含まれるＮ個の機器により構成される仮想的な通信関係を示す情報と、該Ｎ個の機器間で通信される情報データを格納する仮想的なメモリ空間を指定する情報とを含む情報データを受信する受信手段と、前記第１及び第２の情報を用いて前記受信手段により受信された情報データが自己に送信されたデータであるか否かを判別する判別手段とを有することを特徴とする。
【手続補正６】
【補正対象書類名】明細書
【補正対象項目名】００２３
【補正方法】変更
【補正の内容】
【００２３】
本発明のデータ通信方法は、複数の機器により構成されたデータ通信システムに適用可能なデータ通信方法であって、前記複数の機器に含まれるＮ個の機器により構成される仮想的な通信関係を示す第１の情報と、該Ｎ個の機器間において通信される情報データを判別する第２の情報とを用いて前記情報データの通信を行うことを特徴とする。
また、本発明のデータ通信方法は、複数の機器により構成されたデータ通信システムに適用可能なデータ通信方法であって、前記複数の機器に含まれるＮ個の機器により構成される仮想的な通信関係を示す情報と、該Ｎ個の機器間で通信される情報データを格納する仮想的なメモリ空間を指定する情報とを含む通信パケットを用いて前記情報データの通信を行うことを特徴とする。
また、本発明のデータ通信方法は、複数の機器により構成されたデータ通信システムに適用可能なデータ通信方法であって、複数のＩＤ情報を用いて仮想的な通信環境を設定することを特徴とする。
また、本発明のデータ通信方法は、複数の機器により構成されたデータ通信システムに適用可能なデータ通信方法であって、前記複数の機器に含まれるＮ個の機器により構成される仮想的な通信関係を示す第１の情報と、該Ｎ個の機器間において通信される情報データを判別する第２の情報とを用いて、前記情報データが自己に送信されたデータであるか否かを判別することを特徴とする。
また、本発明のデータ通信方法は、複数の機器により構成されたデータ通信システムに適用可能なデータ通信方法であって、前記複数の機器に含まれるＮ個の機器により構成される仮想的な通信関係を示す情報と、該Ｎ個の機器間で通信される情報データを格納する仮想的なメモリ空間を指定する情報とを用いて、前記情報データが自己に送信されたデータであるか否かを判別することを特徴とする。
【手続補正７】
【補正対象書類名】明細書
【補正対象項目名】００２４
【補正方法】削除
【補正の内容】